(57)【要約】【課題】光学部品に異物が付着し画像情報が異常となった場合に、異物付着位置に相当する画素のシェーディング補正値だけではなく、原稿読み取り時の画像データを補正することにより、異物の画像に対する影響を低減させることが可能な画像読み取り装置を提供する。【解決手段】原稿を光学的に読み取り、ＣＣＤ１０６により光電変換して画像データを得る画像読み取り装置において、得られた画像データから、光学部品に付着した異物により発生するスジ画像を検出し、検出したスジ画像を隣接する画像データにより補正することで、スジ画像を低減する機能を有する。【選択図】　　　　図１
2004112354.tif 000002
【特許請求の範囲】
【請求項１】
原稿を光学的に読み取り、ＣＣＤにより光電変換して画像データを得る画像読み取り装置において、得られた画像データから、光学部品に付着した異物により発生するスジ画像を検出し、検出したスジ画像を隣接する画像データにより補正することで、スジ画像を低減する機能を有することを特徴とする画像読み取り装置。
【請求項２】
前記画像補正を任意に機能させることを特徴とする請求項１記載の画像読み取り装置。
【発明の詳細な説明】
【０００１】
【発明の属する技術分野】
本発明は、デジタル複写機、スキャナ、ファクシミリにおける画像読み取り装置に関するものであリ、特に異物により発生するスジ画像の低減技術に関する。
【０００２】
【従来の技術】
光源を原稿に照射しその反射光である画像情報をＣＣＤなどの光デバイス素子で読み取る画像読み取り装置は、原稿からの反射光を複数の光学部品を介して光デバイス素子に伝達している。具体的には原稿を保持するコンタクトガラスに原稿からの反射光を透過させ、また複数のミラーにより原稿からの反射光を反射させている。
【０００３】
原稿に最も近いミラーまたは原稿自体が副走査方向に移動し、光デバイス素子には連続的に画像情報が伝達されることにより２次元的な画像情報が得られる。
【０００４】
また、光デバイス素子の感度ムラ、光源の照度ムラなどを補正するため、均一な濃度であるシェーディング板を読み取り、光デバイス素子の全画素が同じ値になるような補正値を画素毎に算出し、原稿読み取り時にはその補正値を光デバイス素子の画素データに積算するシェーディング補正機能が多くの画像読み取り装置に搭載されている。
【０００５】
シェーディング板を読み取った画像情報が規定範囲外の場合は異常と検出し、その画素の補正値データは読み取った画像情報からではなく、別の手段で補正値データを算出する場合もある（例えば、規定範囲外データの場合は、ある決まった補正値データを設定するなど）。
【０００６】
【発明が解決しようとする課題】
しかし、光学部品にゴミなどの異物が付着し原稿からの反射光の光路を遮った場合、光デバイス素子には正確な画像情報が伝わらない。副走査方向に移動するミラー、または原稿自体が移動する場合のコンタクトガラス面に異物が付着した場合は、副走査方向に連続的な画像情報異常となる。その結果、画像情報には副走査方向の黒スジまたは白スジが発生し、発生するスジと濃度が違う原稿の場合は顕著に画像に現れることになる。
【０００７】
前述したシェーディング板読み取り時にも異物付着位置に相当する画素データが異常値となった場合は、シェーディング補正データをシェーディング板を読み取った画像情報からではない別の手段で算出することもある。しかし、シェーディング補正は画素データを積算し補正するため、原稿からの反射光に対し光デバイス素子への入射光がリニアリティーになっていなければならず、異物付着に対しては有効な補正手段とはなっていない。
【０００８】
そこで、本発明では、光学部品に異物が付着し画像情報が異常となった場合に、異物付着位置に相当する画素のシェーディング補正値だけではなく、原稿読み取り時の画像データを補正することにより、異物の画像に対する影響を低減させることが可能な画像読み取り装置を提供することを目的とする。
【０００９】
【課題を解決するための手段】
上記目的を達成するために、請求項１記載の発明は、原稿を光学的に読み取り、ＣＣＤにより光電変換して画像データを得る画像読み取り装置において、得られた画像データから、光学部品に付着した異物により発生するスジ画像を検出し、検出したスジ画像を隣接する画像データにより補正することで、スジ画像を低減する機能を有する画像読み取り装置を最も主要な特徴とする。
【００１０】
請求項２記載の発明は、請求項１記載の画像読み取り装置において、前記画像補正を任意に機能させることを主要な特徴とする。
【００１１】
本発明では、コンタクトガラス面を走査露光して画像を読み取る画像読み取り装置、あるいは原稿を搬送させながら読み取りを行う原稿自動給紙装置を有する画像読み取り装置において、原稿読み取り前に光学部品に付着している異物に対応する光学デバイス素子の画素を検出し、その画素データを破棄し隣接する画像データにより異物付着画素の画素データを作成することにより、異物付着により発生する縦黒スジ、縦白スジなどを低減させる。
【００１２】
【発明の実施の形態】
以下、図面により本発明の実施の形態を詳細に説明する。
図１は本発明の第１の実施の形態に係る画像読み取り装置の構成図である。この画像読み取り装置はミラー移動型のものであり、シェーディング板１００と原稿１０１がコンタクトガラス１０２の上に載置される。コンタクトガラス１０２の下部には、光源１０３、ミラー１０４ａ、１０４ｂ、１０４ｃ、レンズ１０５、ＣＣＤ１０６が配置される。
【００１３】
このような構成において、光源１０３から発光された光が原稿１０１に照射し、反射光がコンタクトガラス１０２、３枚のミラー１０４ａ、１０４ｂ、１０４ｃ、レンズ１０５を介してＣＣＤ１０６に入射する。入射した光がＣＣＤ１０６により電気信号に変換され、画像イメージとなる。
【００１４】
ミラーが移動する画像読み取り装置においては、光源１０３、３枚のミラー１０４ａ、１０４ｂ、１０４ｃが副走査方向に移動し、シェーディング板１００を読み取り、シェーディング補正を行った後、原稿１０１を読み取る。シェーディング板を読み取ったＣＣＤ画像イメージを図２に示す。ミラー１０４ａまたはシェーディング板１００などに異物が付着していた場合、ＣＣＤ１０６に入射する光量に部分的な落ち込みが発生する。符号２０１は光量落ち込み部を示す。
【００１５】
シェーディング板１００を読み取った画像イメージを分析することにより、ミラー１０４ａ、シェーディング板１００に付着した異物のＣＣＤ画素位置を検出する。
【００１６】
異物検出の具体例として、
１）ＣＣＤ出力に任意のスレッシュレベルを設定し、そのスレッシュレベルを下回ったＣＣＤ画素を異物付着画素と判断する。
【００１７】
２）異物付着を確認するＣＣＤ画素に隣接するＣＣＤ画素とのＣＣＤ出力データの差分を算出し、その差が規定以上となった場合に異物付着と判断する。
【００１８】
３）あらかじめ異物が付着していない状態のシェーディング板１００を読み取った時のＣＣＤ出力データを全画素（以下初期データという）、画像読み取り装置のメモリーに格納しておく。画像読み取り装置が原稿を読み取る度にシェーディング板を読み込むが、シェーディング板を読み取った時の画像出力とメモリーに格納された初期データを比較し、あらかじめ設定された値より大きい場合は異物付着と判断する。
【００１９】
上記１）〜３）いずれかの方法で異物付着を検出した場合は、検出したＣＣＤ画素位置を異物付着画素として画像読み取り装置のメモリーに格納しておく。
【００２０】
ＣＣＤ１０６により電気信号に変換された画像イメージは、シェーディング補正などの画像処理を行うが、ここで新たにゴミ検出画素の補正を行う。画像読み取り装置のメモリーに格納された異物付着画素に隣接する画素のデータから適切な異物付着画素のデータを算出する。
【００２１】
副走査方向全ラインの異物付着画素のデータを算出し、置き換えることにより異物による縦黒スジ、縦白スジの発生を低減させることができる（図３参照）。
【００２２】
図４は異物付着時の処理を示すフローチャートであり、Ｓ１〜Ｓ１３において上記の通り、シェーディング板１００の読み取り、シェーディング補正データ算出、メモリーへの格納、異物付着判断、異物付着画素の補正等が行われる。
【００２３】
図５は本発明の第２の実施の形態に係る画像読み取り装置の構成図である。この画像読み取り装置は原稿移動型のものであり、コンタクトガラス１０２上に異物が付着しても副走査方向に連続して光路を遮るため、縦黒スジ、縦白スジが発生するが、上記シェーディング補正時の画像データでは異物を検出できない。そこでコンタクトガラス１０２の上部に配置されている白色ガイド板１０７を読み取り、かつ画像先端を読み取ることにより異物付着画素を検出する。
【００２４】
これらの手段により画像情報の欠落という問題は発生するが、縦スジの発生は低減できるため、任意の機能をＯＮ／ＯＦＦすることによりユーザーの要望に応えることができる。
【００２５】
【発明の効果】
以上説明したように、請求項１の画像読み取り装置においては、光学部品に付着した異物に対応したＣＣＤの画素位置を検出し、隣接する画素のデータにより画像データを補正することにより、異物による縦スジの発生を低減することができる。
【００２６】
請求項２の画像読み取り装置においては、画像補正機能を任意にＯＮ／ＯＦＦできる機能を有することにより、画像読み取り装置の生産工場における異物付着画素の検出を可能にすると共に、異物画素の画像補正による画像情報欠落を嫌うユーザーに対しての要望に応えることができる。
【図面の簡単な説明】
【図１】本発明の第１の実施の形態に係る画像読み取り装置の構成図である。
【図２】シェーディング板読み取りデータを示す図である。
【図３】異物付着画素補正イメージを示す図である。
【図４】異物付着時の処理を示すフローチャートである。
【図５】本発明の第２の実施の形態に係る画像読み取り装置の構成図である。
【符号の説明】
１００　シェーディング板
１０１　原稿
１０２　コンタクトガラス
１０３　光源
１０４　ミラー
１０５　レンズ
１０６　ＣＣＤ
【図１】
2004112354.tif 000003
【図２】
2004112354.tif 000004
【図３】
2004112354.tif 000005
【図４】
2004112354.tif 000006
【図５】
2004112354.tif 000007